(57)【要約】【課題】  エネルギー利用効率が良いファンコントロール装置、および当該ファンコントロール装置を備えたプロジェクタ、当該ファンコントロール装置によるファン駆動方法を提供すること。【解決手段】  制御部４は、温度データが、ＤＡコンバータ７が出力する調整電圧Ｖａｄｊと、温度検出部が出力する検出電圧Ｖｔ１とが、略一致するときの電圧データの範囲である電圧適合範囲内であった場合、アナログスイッチＳＷ１をオフするとともに、アナログスイッチＳＷ２をオンすることから、電力供給の絶たれたＤＡコンバータ７が停止するとともに、駆動回路２は、温度検出部１からの検出電圧Ｖｔ１により調整された駆動電圧Ｖｆｄを出力する。【選択図】      図１
2007072061.tif 000002
【特許請求の範囲】
【請求項１】
測定される温度情報に応じて、駆動電圧を調整することによりファンの回転速度を制御するファンコントロール装置であって、
被測定部位の温度を検出電圧として出力する温度検出部と、
前記温度検出部からの検出電圧をＡＤ変換し、符号化された温度データを出力するＡＤコンバータと、
前記ファンに駆動電圧を供給する駆動回路と、
前記駆動電圧を調整するための調整電圧を生成し、前記駆動回路に入力するＤＡコンバータと、
前記温度データと、当該温度データの示す温度において定められた前記駆動電圧を得るための前記ＤＡコンバータの調整電圧を決定する調整データとの、相関関係を規定した駆動電圧テーブルを記憶する記憶部と、
前記記憶部の駆動電圧テーブルから前記温度データに応じた前記ＤＡコンバータの調整データを読み出しデータ排出部から前記ＤＡコンバータへ出力する制御部と、
前記ＤＡコンバータへの電力供給ラインを開閉する第１のアナログスイッチと、
前記温度検出部からの検出電圧を前記駆動回路に分岐し、入力させる第２のアナログスイッチとを、備え、
前記記憶部は、前記ＤＡコンバータが出力する調整電圧と、前記温度検出部が出力する検出電圧とが、略一致するときの前記温度データの範囲である電圧適合範囲をさらに記憶し、
前記制御部は、検出された前記温度データが、前記電圧適合範囲内であった場合、前記第１のアナログスイッチをオフするとともに、前記第２のアナログスイッチをオンすることを特徴とするファンコントロール装置。
【請求項２】
さらに前記制御部は、前記温度データが、前記電圧適合範囲内であった場合、前記データ排出部の機能を停止させることを特徴とする請求項１に記載のファンコントロール装置。
【請求項３】
前記温度検出部は、温度センサとしてのサーミスタと、固定抵抗とから構成され、
前記サーミスタの一端は、グランドレベルに接続され、他端は、一端が所定の電圧レベルに接続された前記固定抵抗と接続され、前記サーミスタと、前記固定抵抗との接合部から、前記検出電圧を出力し、
前記サーミスタは、前記被測定部位としての発熱部位の近傍に設けられ、
前記制御部は、前記温度検出部の検出電圧を、前記ＡＤコンバータにより５秒以下の周期でサンプリングさせることを特徴とする請求項１または２に記載のファンコントロール装置。
【請求項４】
請求項１〜３のいずれか一項に記載のファンコントロール装置と、
光を供給する光源部と、
光源部からの光を、外部から供給される映像信号に応じて、映像信号にて表される映像を表す変調光に変換する光変調素子と、を備えたプロジェクタであって、
前記ファンは、少なくともプロジェクタ内部の空気を外部に放出するファンを含み、
前記温度検出部の前記サーミスタは、前記発熱部位としての前記光源部または前記光変調素子いずれかの近傍に設けられることを特徴とするプロジェクタ。
【請求項５】
駆動電圧に応じて回転速度を変化させるファンに、被測定部位の温度情報に応じた駆動電圧を供給するファンコントロール装置によるファン駆動方法であって、
前記ファンコントロール装置は、
被測定部位の温度を、電圧により捕らえ検出電圧として出力する温度検出部と、
前記検出電圧を、ＡＤ変換して、符号化された前記温度情報としての温度データを生成するＡＤコンバータと、
前記ファンに、前記駆動電圧を供給する駆動回路と、
前記駆動電圧を調整するための調整電圧を、前記駆動回路に入力するＤＡコンバータと、
前記温度データと、当該温度データの示す温度において定められた前記駆動電圧を得るための前記ＤＡコンバータの調整電圧を決定する調整データとの、相関関係を規定した駆動電圧テーブル、および前記ＤＡコンバータの調整電圧と、前記温度検出部の検出電圧とが、略一致するときの前記温度データの範囲である電圧適合範囲を記憶する記憶部と、
少なくとも前記駆動電圧テーブルから、前記電圧データの示す温度における前記ＤＡコンバータの調整データを引き当て、前記ＤＡコンバータへ送信する制御部と、
前記ＤＡコンバータへの電力供給ラインを開閉する第１のアナログスイッチと、
前記温度検出部からの検出電圧を前記駆動回路に分岐し、入力させる第２のアナログスイッチとを、備え、
前記検出電圧をサンプリングし、前記温度データを検出する工程と、
検出された前記温度データが、前記電圧適合範囲内であるか確認する工程と、
検出された前記温度データが、前記電圧適合範囲内であった場合、前記第１のアナログスイッチをオフするとともに、前記第２のアナログスイッチをオンする工程と、を含むことを特徴とするファン駆動方法。
【発明の詳細な説明】
【技術分野】
【０００１】
本発明は、ファンの駆動を制御するファンコントロール装置、および当該ファンコントロール装置を備えたプロジェクタ、当該ファンコントロール装置によるファン駆動方法に関する。
【背景技術】
【０００２】
冷熱機器などの温度や、冷却用ファンの回転数を制御するために、サーミスタなどの温度センサを用いて被測定部位の温度を検出する温度検出回路が知られている。例えば、特許文献１の温度検出回路では、サーミスタや、測温抵抗体の温度変化に伴う抵抗値の変化を、電圧の変化として検知し、検知した電圧をＡＤ変換することにより温度情報を検出している。
このような温度検出回路を利用して、例えば、映像を拡大投写するプロジェクタにおいては、光源としてのランプや、当該ランプが発する光を映像信号に応じて変調するための光変調素子などの動作時に発熱する部位近傍の温度を検出し、冷却用ファンの回転数を制御していた。
【０００３】
図６は、従来のプロジェクタにおけるファンコントロール装置の概略構成図である。
ファンコントロール装置６０は、電源部６１から供給される直流電圧Ｖｏ２を、ランプなどの発熱部位Ｈｅの温度状況に応じて駆動回路２で降圧し、生成した駆動電圧ＶｆｄによりファンＦ１を駆動する。
ファンコントロール装置６０は、駆動回路２、ＡＤコンバータ３、制御部６４、記憶部６６、ＤＡコンバータ７などから構成されていた。
駆動回路２は、出力電圧を調整可能なシリーズレギュレータ（４端子レギュレータともいう）を主体とした回路である。駆動回路２には、ＤＡコンバータ７から駆動回路２の出力電圧Ｖｆｄを調整するための調整電圧Ｖａｄｊが入力されおり、調整電圧Ｖａｄｊに応じて、シリーズレギュレータの出力電圧を調整する出力調整回路（図示せず）が含まれていた。
【０００４】
ＡＤコンバータ３には、発熱部位Ｈｅの近傍に設置された温度センサとしてのサーミスタＴＨ１１と、サーミスタＴＨ１１と接続する固定抵抗Ｒ１１との接合点の電圧である検出電圧Ｖｔ１１が入力している。
ＡＤコンバータ３は、入力されるアナログ電圧を、ＡＤ変換により符号化された温度データに変換するＡＤコンバータであり、発熱部位Ｈｅの温度変化に応じたサーミスタＴＨ１１の抵抗変化を、固定抵抗Ｒ１１との間で分圧された電圧変化として捕らえ、検出電圧Ｖｔ１１をＡＤ変換した温度データを制御部６４に送信する。
【０００５】
制御部６４は、ＣＰＵ（Central Processing Unit）であり、記憶部６６の駆動電圧テーブルから、検出された温度データに応じた、ＤＡコンバータ７の出力電圧の調整データを読み出し、データ排出部６５からＤＡコンバータ７へ出力する。
記憶部６６は、不揮発性のメモリであり、温度データと、温度データの示す温度において定められた駆動電圧を得るためのＤＡコンバータの調整データとの、相関関係を規定した駆動電圧テーブルが記憶されていた。
ＤＡコンバータ７は、出力バッファオペアンプ付きのＤＡコンバータであり、制御部６４から入力される調整データに応じた調整電圧Ｖａｄｊを出力する。
また、プロジェクタの動作時において、ＡＤコンバータ３、制御部６４、記憶部６６、ＤＡコンバータ７には、電源部６１の直流電圧Ｖｏ１が供給されていた。
【０００６】
【特許文献１】特開平９−２０３６６７号公報
【発明の開示】
【発明が解決しようとする課題】
【０００７】
しかしながら、従来のプロジェクタの動作時において、制御部６４、およびＤＡコンバータ７には、電源部６１の直流電圧Ｖｏ１が供給されており、発熱部位Ｈｅの温度状況如何に拘らず、制御部６４のデータ排出部６５、およびＤＡコンバータ７は、動作状態であるため、常に電力が消費されており、エネルギー利用効率が悪かった。
このように、従来のファンコントロール装置は、エネルギー利用効率が良くないという問題があった。
【０００８】
上記課題を解決するために、本発明では、エネルギー利用効率が良いファンコントロール装置、および当該ファンコントロール装置を備えたプロジェクタ、当該ファンコントロール装置によるファン駆動方法を提供することを目的とする。
【課題を解決するための手段】
【０００９】
前記目的を達成するために、本発明のファンコントロール装置によれば、測定される温度情報に応じて、駆動電圧を調整することによりファンの回転速度を制御するファンコントロール装置であって、被測定部位の温度を検出電圧として出力する温度検出部と、温度検出部からの検出電圧をＡＤ変換し符号化された温度データを出力するＡＤコンバータと、ファンに駆動電圧を供給する駆動回路と、駆動電圧を調整するための調整電圧を生成し、駆動回路に入力するＤＡコンバータと、温度データと、当該温度データの示す温度において定められた駆動電圧を得るためのＤＡコンバータの調整電圧を決定する調整データとの、相関関係を規定した駆動電圧テーブルを記憶する記憶部と、記憶部の駆動電圧テーブルから温度データに応じたＤＡコンバータの調整データを読み出しデータ排出部からＤＡコンバータへ出力する制御部と、ＤＡコンバータへの電力供給ラインを開閉する第１のアナログスイッチと、温度検出部からの検出電圧を駆動回路に分岐し、入力させる第２のアナログスイッチとを、備え、記憶部は、ＤＡコンバータが出力する調整電圧と、温度検出部が出力する検出電圧とが、略一致するときの温度データの範囲である電圧適合範囲をさらに記憶し、制御部は、検出された温度データが、電圧適合範囲内であった場合、第１のアナログスイッチをオフするとともに、第２のアナログスイッチをオンすることを特徴とする。
【００１０】
この構成によれば、制御部は、温度データが、ＤＡコンバータが出力する調整電圧と、温度検出部が出力する検出電圧とが、略一致するときの電圧データの範囲である電圧適合範囲内であった場合、第１のアナログスイッチをオフするとともに、第２のアナログスイッチをオンすることから、電力供給の絶たれたＤＡコンバータが停止するとともに、駆動回路は、温度検出部からの検出電圧により調整された駆動電圧を出力する。
よって、常時ＤＡコンバータが動作し、電力を消費していた従来のファンコントロール装置と異なり、本発明のファンコントロール装置は、条件が整った場合は、ＤＡコンバータを停止することにより、エネルギー消費量を削減することができる。
従って、本発明のファンコントロール装置は、エネルギー利用効率が良い。
【００１１】
本発明に係るファンコントロール装置によれば、さらに制御部は、温度データが、電圧適合範囲内であった場合、データ排出部の機能を停止させることが好ましい。
【００１２】
この構成によれば、制御部は、温度データが、電圧適合範囲内であった場合、データ排出部の機能を停止させることから、データ排出部で消費されていた電力は、削減される。
従って、本発明のファンコントロール装置は、エネルギー利用効率が良い。
【００１３】
本発明に係るファンコントロール装置によれば、温度検出部は、温度センサとしてのサーミスタと、固定抵抗とから構成され、サーミスタの一端は、グランドレベルに接続され、他端は、一端が所定の電圧レベルに接続された固定抵抗と接続され、サーミスタと、固定抵抗との接合部から、検出電圧を出力し、サーミスタは、被測定部位としての発熱部位の近傍に設けられ、制御部は、温度検出部の検出電圧を、ＡＤコンバータにより５秒以下の周期でサンプリングさせることが好ましい。
【００１４】
この構成によれば、温度検出部は、サーミスタおよび固定抵抗により構成され、サーミスタと、固定抵抗との接合部の電圧が検出電圧となることから、温度検出部は、シンプルな構成により、温度情報としての検出電圧を出力する。
さらに、サーミスタは、発熱部位の近傍に設けられ、制御部は、検出電圧をＡＤコンバータにより５秒以下の周期でサンプリングさせることから、発熱部位の温度状況に応じて、速やかにファンの回転速度を制御することができる。
従って、本発明のファンコントロール装置は、簡便な構成により発熱部位の温度状況を把握するとともに、温度状況に応じて速やかにファンの回転速度を制御することができる。
【００１５】
本発明に係るプロジェクタによれば、前記記載のファンコントロール装置と、光を供給する光源部と、光源部からの光を、外部から供給される映像信号に応じて、映像信号にて表される映像を表す変調光に変換する光変調素子と、を備えたプロジェクタであって、ファンは、少なくともプロジェクタ内部の空気を外部に放出するファンを含み、温度検出部のサーミスタは、発熱部位としての光源部または光変調素子いずれかの近傍に設けられることが好ましい。
【００１６】
この構成によれば、プロジェクタ内部の空気を外部に放出するファンを含み、温度検出部のサーミスタは、発熱部位としての光源部または光変調素子いずれかの近傍に設けられることから、プロジェクタは、発熱部位である光源部または光変調素子の近傍に設置されたサーミスタを含む温度検出部からの温度情報に応じて、ファンの回転速度を制御し、熱せられた空気を外部に放出する。
また、プロジェクタに備えられたファンコントロール装置は、エネルギー利用効率が高い。
従って、本発明のプロジェクタは、エネルギー効率良く、発熱部位の温度状況に応じた適切な冷却を行うことができる。
【００１７】
本発明に係るファンコントロール装置によるファン駆動方法によれば、駆動電圧に応じて回転速度を変化させるファンに、被測定部位の温度情報に応じた駆動電圧を供給するファンコントロール装置によるファン駆動方法であって、ファンコントロール装置は、被測定部位の温度を、電圧により捕らえ検出電圧として出力する温度検出部と、検出電圧を、ＡＤ変換して、符号化された温度情報としての温度データを生成するＡＤコンバータと、ファンに、駆動電圧を供給する駆動回路と、駆動電圧を調整するための調整電圧を、駆動回路に入力するＤＡコンバータと、温度データと、当該温度データの示す温度において定められた駆動電圧を得るためのＤＡコンバータの調整電圧を決定する調整データとの、相関関係を規定した駆動電圧テーブル、およびＤＡコンバータの調整電圧と、温度検出部の検出電圧とが、略一致するときの温度データの範囲である電圧適合範囲を記憶する記憶部と、少なくとも駆動電圧テーブルから、電圧データの示す温度におけるＤＡコンバータの調整データを引き当て、ＤＡコンバータへ送信する制御部と、ＤＡコンバータへの電力供給ラインを開閉する第１のアナログスイッチと、温度検出部からの検出電圧を駆動回路に分岐し、入力させる第２のアナログスイッチとを、備え、検出電圧をサンプリングし、温度データを検出する工程と、検出された温度データが、電圧適合範囲内であるか確認する工程と、検出された温度データが、電圧適合範囲内であった場合、第１のアナログスイッチをオフするとともに、第２のアナログスイッチをオンする工程と、を含むことを特徴とする。
【００１８】
このファン駆動方法によれば、検出電圧をサンプリングし、温度データを検出する工程と、検出された温度データが、電圧適合範囲内であるか確認する工程と、温度データが、電圧適合範囲内であった場合、第１のアナログスイッチをオフするとともに、第２のアナログスイッチをオンする工程と、を含むことから、ファンコントロール装置は、電圧データが、電圧適合範囲内であった場合、ＤＡコンバータを停止するとともに、温度検出部の検出電圧を駆動回路に入力する。
よって、ＤＡコンバータの調整電圧と、温度検出部の検出電圧とが、略一致するときの温度データの範囲においては、ＤＡコンバータの消費電力を削減することができる。
従って、本発明によれば、エネルギー利用効率の良いファンコントロール装置によるファン駆動方法を提供することができる。
【発明を実施するための最良の形態】
【００１９】
以下、添付図面に基づいて、本発明の実施形態を詳細に説明する。
【００２０】
（実施形態１）
《ファンコントロール装置の概要》
図１は、本発明の一実施形態におけるファンコントロール装置の概略構成図である。ここでは、図１を用いてファンコントロール装置１０の概略構成について説明する。
なお、比較のため、図６に示される従来のファンコントロール装置６０と同一の構成については同一の番号を附して説明する。
ファンコントロール装置１０には、温度検出部１が付属し、電源部６１から直流電力が供給されている。ファンコントロール装置１０は、電源部６１から供給される電圧Ｖｏ１により動作し、電圧Ｖｏ２を降圧することにより駆動電圧Ｖｆｄを生成し、ファンＦ１を駆動する。
ファンコントロール装置１０は、パーソナルコンピュータや、プロジェクタなどの電子機器に内蔵され、当該電子機器内部の冷却用のファンＦ１を駆動する。ファンＦ１は、例えば、軸流ファンや、シロッコファンであり、ファンＦ１が設置されている電子機器内の熱せられた空気を外部に放出したり、機能時に発熱する部位（以降、「発熱部位」という）を集中的に冷却するのに用いられている。
【００２１】
温度検出部１は、パーソナルコンピュータであればＣＰＵ（Central Processing Unit）などの発熱部位Ｈｅの近傍に設置され、発熱部位Ｈｅの温度を検出する。温度検出部１は、温度センサとしてのサーミスタＴＨ１と、固定抵抗Ｒ１などから構成されている。固定抵抗Ｒ１は、サーミスタＴＨ１と隣接して回路基板上に実装されるため、温度による抵抗変化の少ない、抵抗温度係数の小さな抵抗が用いられている。
固定抵抗Ｒ１の一端は、所定の電圧としての電圧Ｖｏ１（約５Ｖ）に接続され、他端は、サーミスタＴＨ１の一端に接続している。また、サーミスタＴＨ１の他端は、グランドレベルに接続されている。
ファンコントロール装置１０には、サーミスタＴＨ１と、固定抵抗Ｒ１との接合点の電圧である検出電圧Ｖｔ１が入力している。検出電圧Ｖｔ１は、電圧Ｖｏ１を、発熱部位Ｈｅの温度変化に応じて変化するサーミスタＴＨ１抵抗値と、固定抵抗Ｒ１とで分圧した電圧である。よって、発熱部位Ｈｅの温度変化に応じて変化する検出電圧Ｖｔ１により、発熱部位Ｈｅの温度を検出することができる。
【００２２】
なお、サーミスタＴＨ１が、固定抵抗Ｒ１の近傍に位置することに限定するものではなく、例えば、図１の温度検出部１の近傍において点線にて示されるようにサーミスタＴＨ１のリード線部Ｌを伸ばすことにより、回路基板に固定されている固定抵抗Ｒ１から離れた位置の発熱部位Ｈｅの近傍に設置することであっても良い。
この構成の場合、固定抵抗Ｒ１と、発熱部位Ｈｅとの間は、発熱部位からの温度の影響を受けにくくなる程度の距離ができるため、固定抵抗Ｒ１は、抵抗温度係数の小さいものに限定されず、安価な汎用の抵抗を用いることができる。さらにサーミスタＴＨ１の設置位置が回路基板の位置に左右されないため、より温度検出し易い場所に設置することができる。
【００２３】
ファンコントロール装置１０は、駆動回路２、ＡＤコンバータ３、制御部４、記憶部６、ＤＡコンバータ７、アナログスイッチＳＷ１，ＳＷ２などから構成されている。
駆動回路２は、出力電圧を調整可能なシリーズレギュレータ（４端子レギュレータともいう）を主体とした回路である。駆動回路２には、ＤＡコンバータ７から駆動回路２の出力電圧である駆動電圧Ｖｆｄを調整するための調整電圧Ｖａｄｊが入力されており、調整電圧Ｖａｄｊに応じて、シリーズレギュレータの出力電圧を調整する出力調整回路（図示せず）が含まれている。
ＡＤコンバータ３は、例えば、２重積分型のＡＤコンバータであり、入力されるアナログの検出電圧Ｖｔ１を、符号化された温度情報としての温度データにＡＤ変換する。温度データは、制御部４から供給されるクロック信号（図示せず）に基づいて約１秒ごとにサンプリングされる。なお、温度データのサンプリングタイムは、約１秒周期に限定するものではなく、発熱部位Ｈｅの温度状況を略リアルタイムに把握できる時間、例えば、５秒以下の周期であれば良い。
【００２４】
制御部４は、ＣＰＵであり、記憶部６の駆動電圧テーブルから、検出された温度データに応じた、ＤＡコンバータ７の出力電圧の調整データを読み出し、Ｉ／Ｏポートであるデータ排出部５からＤＡコンバータ７へ出力する。また、制御部４には、水晶振動子などの発振子を含んだ発振回路（図示せず）が付属しており、温度データをサンプリングするときのクロック信号を含む、各部の動作クロックを生成する。
記憶部６は、マスクＲＯＭや、フラッシュメモリ、ＦｅＲＡＭなどの不揮発性のメモリにより構成されている。
記憶部６には、ファンＦ１を発熱部位Ｈｅの温度状況に応じて適切に駆動するためのファン制御プログラムおよび付属するデータが記憶されている。また、付属するデータには、温度データと、温度データの示す温度において定められた駆動電圧Ｖｆｄを得るためのＤＡコンバータ７の調整データとの、相関関係を規定した駆動電圧テーブル、および、ＤＡコンバータ７の調整電圧Ｖａｄｊと、温度検出部１の検出電圧Ｖｔ１とが、略一致するときの温度データの範囲である電圧適合範囲などが含まれている。
ＤＡコンバータ７は、出力バッファオペアンプ付きの８ビットのＤＡコンバータであり、制御部４から入力される調整データに応じた調整電圧Ｖａｄｊを出力する。
【００２５】
アナログスイッチＳＷ１，ＳＷ２は、１チップのＩＣに構成された２回路のアナログスイッチであり、それぞれが制御部４により開閉制御される。第１のアナログスイッチとしてのアナログスイッチＳＷ１は、ＤＡコンバータ７への電力供給ラインに設けられている。アナログスイッチＳＷ１の初期設定はオンであり、ＤＡコンバータ７には、電源部６１からの電圧Ｖｏ１が印加されている。
第２のアナログスイッチとしてのアナログスイッチＳＷ２は、温度検出部１からの検出電圧Ｖｔ１を駆動回路２に分岐し、駆動回路２の調整回路（図示せず）に入力させるラインに設けられている。アナログスイッチＳＷ２の初期設定はオフであり、駆動回路２には、ＤＡコンバータ７からの調整電圧Ｖａｄｊが入力している。
【００２６】
《検出電圧と調整電圧の相対関係》
図２は、検出電圧と調整電圧の相対関係の一態様を示した図表である。ここでは、図２のグラフＧ１を用いて、温度検出部１の検出電圧Ｖｔ１と、ＤＡコンバータ７の調整電圧Ｖａｄｊとの相関関係について説明する。グラフＧ１の横軸は、検出電圧Ｖｔ１から検出された温度データが示す温度を示し、縦軸は、電圧値を示している。
サーミスタＴＨ１の抵抗値は、発熱部位Ｈｅの温度が上昇すると小さくなり、温度が下降すると大きくなる特性を持っているため、検出電圧Ｖｔ１は、温度上昇に伴って徐々に低くなる特性を示す。
また、調整電圧Ｖａｄｊも、温度上昇に伴い、徐々に低くなる特性を示している。このように検出電圧Ｖｔ１、および調整電圧Ｖａｄｊの特性は、それぞれの傾きは異なるものの、温度上昇に伴って、徐々に電圧が低くなる特性を示している。なお、調整電圧Ｖａｄｊを示すグラフは、段階のない略直線として観察されているが、実際は、制御部４からの２５６段階の調整データに応じた段階を持っている。
【００２７】
調整電圧Ｖａｄｊの電圧段階は、段階数が多い方がきめ細かいファンＦ１の回転速度制御が可能であるが、温度が低い領域においては、高温時に比べて細かな温度制御は必要とされないため、比較的大きな電圧区分であったとしても機能上の支障はない。
ここで、調整電圧Ｖａｄｊと、検出電圧Ｖｔ１との特性は、低温域の３０℃近傍で交差しており、約２７．５〜３２．５℃の範囲において、調整電圧Ｖａｄｊと、検出電圧Ｖｔ１とは、略一致している。
この間の検出電圧Ｖｔ１の電圧変化は、約２．４〜２．３Ｖであり、調整電圧Ｖａｄｊの変化量である約２．５〜２．２Ｖと比べて若干小さいが、低温域でもあることから、略同等の特性と見なすことができる。
【００２８】
よって、調整電圧Ｖａｄｊと、検出電圧Ｖｔ１とが、略一致するときの電圧適合範囲は、グラフＧ１における約２７．５〜３２．５℃を示す温度データの範囲となり、温度データが、電圧適合範囲内である場合は、検出電圧Ｖｔ１を、調整電圧Ｖａｄｊの替わりに調整電圧として活用することが可能である。
なお、検出電圧Ｖｔ１の特性は、グラフＧ１に示されるものに限定されるものではなく、サーミスタＴＨ１のＢ定数を含む規格、固定抵抗Ｒ１の抵抗値を変更することなどにより、例えば、調整電圧Ｖａｄｊの特性により近づけることにより、電圧適合範囲が広くなるように調整することも可能である。
【００２９】
《ファンの駆動制御》
図３は、ファンコントロール装置によるファンの駆動制御の流れの一態様を示したフローチャートである。ここでは、図３を中心に、適宜図１および図２を用いて、ファンコントロール装置１０によるファンＦ１の駆動制御の流れの一態様について説明する。
ファンコントロール装置１０は、電源部６１からの電力の供給が開始されたため、あるいは、外部からの起動信号が制御部４に入力されたことにより起動し、記憶部６のファン制御プログラムに従ってファンＦ１を駆動制御する。
なお、ファンコントロール装置１０は、図３のいかなるタイミングにおいても、電源部６１からの電力供給の停止、または、シャットダウン信号の入力により、その動作を停止する。
【００３０】
ステップＳ１では、制御部４は、ＡＤコンバータ３にクロック信号を供給し、検出電圧Ｖｔ１をサンプリングさせ、温度データを検出する。なお、検出された温度データは、記憶部６にて所定のデータ数（例えば、５０データ）、時系列に記憶される。
ステップＳ２では、制御部４は、検出した温度データが、記憶部６の電圧適合範囲内であるか確認する。電圧適合範囲内であった場合は、ステップＳ３へ進む。電圧適合範囲内ではなかった場合は、ステップＳ６へ進む。
ステップＳ３では、制御部４は、アナログスイッチＳＷ１をオフするとともに、アナログスイッチＳＷ２をオンする。
ステップＳ４では、制御部４は、データ排出部５の機能を停止する。
ステップＳ５では、駆動回路２は、入力される検出電圧Ｖｔ１により調整された駆動電圧Ｖｆｄを出力する。また、制御部４は、駆動回路２が駆動電圧Ｖｆｄを出力した後、ステップＳ１へ戻り、温度データを検出する。
【００３１】
続いて、ステップＳ２で、電圧適合範囲内でなかった場合における処理の流れについて説明する。
ステップＳ６では、制御部４は、アナログスイッチＳＷ１がオンし、アナログスイッチＳＷ２がオフしている状態であるか確認する。当該状態であった場合は、ステップＳ７へ進む。当該状態ではなかった場合は、ステップＳ１１へ進む。
ステップＳ７では、制御部４は、記憶部６の駆動電圧テーブルから、検出した温度データに応じた調整データを引き当てる。
ステップＳ８では、制御部４は、引き当てた調整データをデータ排出部５から出力する。
ステップＳ９では、ＤＡコンバータ７は、入力される調整データに応じた調整電圧Ｖａｄｊを出力する。
ステップＳ１０では、駆動回路２は、入力される調整電圧Ｖａｄｊにより調整された駆動電圧Ｖｆｄを出力する。また、制御部４は、駆動回路２が駆動電圧Ｖｆｄを出力した後、ステップＳ１へ戻り、温度データを検出する。
【００３２】
続いて、ステップＳ６で、アナログスイッチＳＷ１がオンし、アナログスイッチＳＷ２がオフしている状態ではなかった場合における処理の流れについて説明する。
ステップＳ１１では、制御部４は、アナログスイッチＳＷ１をオンするとともに、アナログスイッチＳＷ２をオフする。
ステップＳ１２では、制御部４は、データ排出部５の機能をオンした後、ステップＳ７へ進む。
【００３３】
上述した通り、本実施形態によれば以下の効果が得られる。
（１）制御部４は、温度データが、ＤＡコンバータ７が出力する調整電圧Ｖａｄｊと、温度検出部が出力する検出電圧Ｖｔ１とが、略一致するときの電圧データの範囲である電圧適合範囲内であった場合、アナログスイッチＳＷ１をオフするとともに、アナログスイッチＳＷ２をオンすることから、電力供給の絶たれたＤＡコンバータ７が停止するとともに、駆動回路２は、温度検出部１からの検出電圧Ｖｔ１により調整された駆動電圧Ｖｆｄを出力する。
よって、ファンコントロール装置１０は、温度データが電圧適合範囲内であった場合、ＤＡコンバータ７を停止することにより、エネルギー消費量を削減することができる。
従って、本発明のファンコントロール装置１０は、エネルギー利用効率が良い。
【００３４】
（２）制御部４は、温度データが、電圧適合範囲内であった場合、データ排出部５の機能を停止することから、データ排出部５で消費されていた電力は、削減される。
従って、本発明のファンコントロール装置１０は、エネルギー利用効率が良い。
【００３５】
（３）温度検出部１は、サーミスタＴＨ１および固定抵抗Ｒ１により構成され、サーミスタＴＨ１と、固定抵抗Ｒ１との接合部の電圧が検出電圧Ｖｔ１となることから、温度検出部１は、シンプルな構成により、温度情報としての検出電圧Ｖｔ１を出力する。
さらに、サーミスタＴＨ１は、発熱部位Ｈｅの近傍に設けられ、制御部４は、検出電圧Ｖｔ１をＡＤコンバータ３により５秒以下の周期でサンプリングさせることから、発熱部位Ｈｅの温度状況に応じて、速やかにファンＦ１の回転速度を制御することができる。
従って、本発明のファンコントロール装置１０は、簡便な構成により発熱部位Ｈｅの温度状況を把握するとともに、温度状況に応じて速やかにファンＦ１の回転速度を制御することができる。
【００３６】
（実施形態２）
《プロジェクタの概要》
図４は、本発明の一実施形態におけるプロジェクタの概略構成図である。プロジェクタ１００は、ファンコントロール装置２０を備えている。ファンコントロール装置２０は、実施形態１のファンコントロール装置１０と同様の機能を備えている。
ここでは、図４を中心に適宜図１および図２を交えて、プロジェクタ１００の概略構成について説明する。なお、図１に示される実施形態１のファンコントロール装置１０と同一の構成については同一の番号を附して説明する。
【００３７】
プロジェクタ１００は、光源部としてのランプ１６が放射した光を、赤色光、青色光、緑色光の光の３原色成分に分離し、色光ごとに光変調素子としての各色光用の液晶ライトバルブ１８Ｒ，１８Ｇ，１８Ｂにより映像信号に応じて変調し、再度合成したフルカラーの変調光を投写レンズ１９によりスクリーンＳＣに拡大投写する、いわゆる「液晶３板式プロジェクタ」である。なお、液晶ライトバルブ１８Ｒ，１８Ｇ，１８Ｂは、それぞれが赤色光、緑色光、青色光用として設けられ、光学部１７の構成に含まれている。
【００３８】
プロジェクタ１００における大きな発熱部位は、ランプ１６および液晶ライトバルブ１８Ｒ，１８Ｇ，１８Ｂである。ランプ１６は、例えば、高圧水銀ランプや、メタルハライドランプ及びハロゲンランプなどの高輝度が得られる放電式ランプであり、点灯動作時および点灯時に発熱する。
また、ランプ１６が放つ光は、光学部１７にて赤色光、緑色光、青色光の各色光に分離され、各色光用の液晶ライトバルブ１８Ｒ，１８Ｇ，１８Ｂに入射し、大部分の光は変調光に変調されるが、入射角度が合わないために変調されなかった光などは、吸収されて液晶ライトバルブおよび周辺部位を発熱させる。
プロジェクタ１００は、これらの発熱部位が過熱することを防ぐために、冷却用の２つのファンＦ１，Ｆ２、および当該ファンを駆動制御するファンコントロール装置２０を備えている。
【００３９】
プロジェクタ１００は、ランプ１６、光学部１７、投写レンズ１９、ファンＦ１〜Ｆ２、ファンコントロール装置２０、電源部６１、操作部３１、リモコン３２、操作受付け部３３、映像コンバータ３４、映像信号処理部３５、液晶パネル駆動部３７、ランプ駆動部３８、距離検出部４０、レンズ駆動部４２などから構成されている。
光学部１７は、ランプ１６が放射する光を輝度分布の安定した光に変換するインテグレータ光学系と、輝度分布の安定した光を光の３原色である赤色、緑色、青色の各色光成分に分離して各色光用の液晶ライトバルブ１８Ｒ，１８Ｇ，１８Ｂに供給する分離光学系と、当該液晶ライトバルブにて色光ごとに映像信号に応じて変調された各色光を、再度合成してフルカラーの変調光を生成する合成光学系（いずれも図示せず）とを含んで構成されている。
【００４０】
投写レンズ１９は、複数の凹凸レンズを含んで構成され、光学部１７から射出されるフルカラーの変調光を拡大して、スクリーンＳＣにフルカラー画像を投写する。また、複数の凹凸レンズにおける特定のレンズには、ズーム調整用の圧電モータであるズームモータＯＺ、およびフォーカス調整用の圧電モータであるフォーカスモータＯＦが付属している。
ファンＦ１は、定格１２Ｖの軸流ファンであり、ランプ１６の周辺部を中心にしたプロジェクタ１００内部の熱せられた空気を外部に放出する。
ファンＦ２は、定格１２Ｖのシロッコファンであり、液晶ライトバルブ１８Ｒ，１８Ｇ，１８Ｂ近傍に外部からの冷えた空気を吹きかける。なお、ファンＦ１，Ｆ２の定格は、１２Ｖに限定するものではなく、２つのファンの定格が同一であれば良い。
【００４１】
ファンコントロール装置２０は、駆動回路２，２２、ＡＤコンバータ３、制御部２４、記憶部２６、ＤＡコンバータ７、アナログスイッチＳＷ１，ＳＷ２などから構成されている。
駆動回路２，２２は、４端子シリーズレギュレータを主体とした降圧回路であり、電源部６１から入力される直流電圧Ｖｏ２をＤＡコンバータ７からの調整電圧Ｖａｄｊに応じて降圧した駆動電圧Ｖｆｄにより、ファンＦ１，Ｆ２をそれぞれ駆動する。なお、駆動回路が２つあるのは、駆動回路２，２２それぞれのファンのドライブ能力がファンを１つづつ駆動する容量となっているからであり、例えば、駆動回路２のみで、２つのファンを駆動するドライブ能力があれば、駆動回路は１つの構成であっても良い。
【００４２】
ＡＤコンバータ３には、温度検出部１が付属し、温度検出部１から入力されるアナログの検出電圧Ｖｔ１を、符号化された温度情報としての温度データにＡＤ変換する。ＡＤコンバータ３および温度検出部１は、実施形態１での説明と同様である。温度検出部１のサーミスタＴＨ１は、発熱部位としての液晶ライトバルブ１８Ｒ，１８Ｇ，１８Ｂ近傍に設置されている。
制御部２４は、ＣＰＵ（Central Processing Unit）により構成され、プロジェクタ１００の固有の構成部位であるとともに、ファンコントロール装置２０の制御部としての機能も果たしている。
制御部２４は、バスラインＢusを介して、プロジェクタ１００の各部と信号のやり取りを行い、また、記憶部２６の駆動電圧テーブルから、検出された温度データに応じた、ＤＡコンバータ７の出力電圧の調整データを読み出し、Ｉ／Ｏポートであるデータ排出部２５からＤＡコンバータ７へ出力する。また、制御部２４には、水晶振動子などの発振子を含んだ発振回路（図示せず）が付属しており、温度データをサンプリングするときのクロック信号を含む、各部の動作クロックを生成する。
【００４３】
記憶部２６は、プロジェクタ１００の固有の構成部位であり、マスクＲＯＭや、フラッシュメモリ、ＦｅＲＡＭなどの不揮発性のメモリにより構成されている。記憶部２６には、プロジェクタ１００を起動させるための順序と内容を規定した起動プログラムなどのプロジェクタ１００の動作を制御するための様々なプログラムおよび付随するデータが記憶されている。
当該プログラムには、検出される温度データに応じてファンを適切に駆動するためのファン制御プログラムおよび付属するデータが記憶されている。
また、付属するデータには、温度データと、温度データの示す温度において定められた駆動電圧Ｖｆｄを得るためのＤＡコンバータ７の調整データとの、相関関係を規定した駆動電圧テーブル、および、ＤＡコンバータ７の調整電圧Ｖａｄｊと、温度検出部１の検出電圧Ｖｔ１とが、略一致するときの温度データの範囲である電圧適合範囲などが含まれている。なお、駆動電圧テーブル、および電圧適合範囲は、実施形態１での説明と同様に、図２のグラフＧ１の特性に準じたものである。
【００４４】
ＤＡコンバータ７は、出力バッファオペアンプ付きの８ビットのＤＡコンバータであり、制御部２４から入力される調整データに応じた調整電圧Ｖａｄｊを出力する。
アナログスイッチＳＷ１，ＳＷ２は、１チップのＩＣに構成された２回路のアナログスイッチであり、それぞれが制御部２４により開閉制御される。第１のアナログスイッチとしてのアナログスイッチＳＷ１は、ＤＡコンバータ７への電力供給ラインに設けられている。アナログスイッチＳＷ１の初期設定はオンであり、ＤＡコンバータ７には、電源部６１からの電圧Ｖｏ１が印加されている。
第２のアナログスイッチとしてのアナログスイッチＳＷ２は、温度検出部１からの検出電圧Ｖｔ１を駆動回路２，２２に分岐し、駆動回路２，２２の調整回路（図示せず）に入力させるラインに設けられている。アナログスイッチＳＷ２の初期設定はオフであり、駆動回路２，２２には、ＤＡコンバータ７からの調整電圧Ｖａｄｊが入力している。
【００４５】
電源部６１は、外部電源８１からの交流電力をプラグから導き、内蔵するＡＣ／ＤＣ変換部（いずれも図示せず）にて変圧、整流および平滑するなどの処理を施すことにより安定化させた直流電圧を各部に供給する。また、電源部６１は、ファンコントロール装置２０に、ＡＤコンバータ３や、ＤＡコンバータ７などの動作電力としての直流電圧Ｖｏ１（約５Ｖ）と、ファンＦ１，Ｆ２の駆動電力としての直流電圧Ｖｏ２（約１５Ｖ）を含む電力を供給している。
【００４６】
操作部３１は、プロジェクタ１００の本体上面に設けられており、プロジェクタ１００を操作するための複数の操作用ボタンを備えている。複数の操作用ボタンには、プロジェクタ１００を起動およびシャットダウンするための「電源ボタン」や、各種操作メニューを表示させるための「メニューボタン」、投写映像を拡大および縮小する「拡大ボタン」、「縮小ボタン」などが含まれている。
リモコン３２は、プロジェクタ１００を遠隔操作するためのリモコンであり、操作部３１と同様のプロジェクタ１００を操作するための複数の操作用ボタンを備えている。
操作受付け部３３は、操作部３１あるいはリモコン３２へ操作が行われると、当該操作内容に応じた操作信号を制御部２４に送信する。
映像コンバータ３４は、例えば、パーソナルコンピュータなどの映像信号供給装置８２から入力される映像信号をアナログ信号からデジタル信号に変換するＡＤコンバータである。これは、映像信号供給装置８２から供給されるアナログ映像信号に様々な映像信号処理を施すために行われる。
【００４７】
映像信号処理部３５は、スケーラであり、フレームメモリ３６が付属している。
フレームメモリ３６は、例えば、ＤＲＡＭ（Dynamic Random Access Memory）により構成された、赤色、緑色、青色の各色光ごとの映像信号による映像データを記憶する３枚のメモリプレーンである。
映像信号処理部３５は、映像信号により表される画像を、当該映像信号の持つ解像度でＲＧＢの色光ごとにフレームメモリ３６に書き込み、液晶ライトバルブ１８Ｒ，１８Ｇ，１８Ｂにて表示可能な解像度に変換して読み出すことにより、当該液晶ライトバルブに適した映像信号を生成する。また、スクリーンＳＣに投写された有効画像の形状を矩形に近づけるための台形補正処理も、スケーリングと合せて行われる。
液晶パネル駆動部３７は、液晶ライトバルブ１８Ｒ，１８Ｇ，１８Ｂに画像処理が施された映像信号と、駆動電圧などを供給し、液晶ライトバルブ１８Ｒ，１８Ｇ，１８Ｂに映像を写し出す。
ランプ駆動部３８は、電源部６１からの電力供給を受け、ランプ１６を点灯させるために高電圧を発生して放電経路を形成するイグナイタ回路と、点灯後の安定した点灯状態を維持するためのバラスト回路（いずれも図示せず）とを含んで構成されている。
【００４８】
距離検出部４０には、距離センサ４１が付属し、スクリーンＳＣまでの距離を測定するための距離データを検出する。距離センサ４１は、赤外線を射出する半導体レーザ素子を含む射出部と、射出された赤外線がスクリーンＳＣにより反射し、その反射光を受光するＣＣＤ（Charge Coupled Devices）とを含む受光部（いずれも図示せず）などから構成されている。
距離検出部４０には、ＡＤコンバータ（図示せず）が内蔵されており、ＣＣＤが検出した反射光に応じた電荷量を符号化された距離データに変換して制御部２４に送信する。また、記憶部２６には、検出された距離データと、赤外線の入射角度と、当該入射角度に応じたスクリーンＳＣまでの距離に応じたフォーカスモータＯＦの駆動量との相関関係を規定した焦点調整テーブルが記憶されている。
レンズ駆動部４２には、２チャンネルのＤＡコンバータおよび２つのモータ駆動回路（いずれも図示せず）が含まれており、ＤＡコンバータは、制御部２４からのそれぞれの駆動データに応じて各チャンネルから調整電圧を出力し、対応する各モータ駆動回路は、調整電圧により調整された駆動量で、ズームモータＯＺおよびフォーカスモータＯＦをそれぞれ駆動する。
【００４９】
プロジェクタ１００は、前述した距離検出部４０、レンズ駆動部４２などにより電動ズーム機能、およびオートフォーカス調整機能を実現している。
具体的には、電動ズーム機能は、例えば、リモコン３２の「拡大ボタン」または、「縮小ボタン」が操作されると、操作受付け部３３からの操作信号に応じて、制御部２４が、レンズ駆動部４２にズームモータＯＺを駆動させることにより行われる。これにより、投写映像は、使用者の所望のサイズに拡大および縮小される。
ズーム操作が終わると、制御部２４は、距離検出部４０により距離データを検出させ、記憶部２６の焦点調整テーブルから、検出された距離データに応じたフォーカスモータＯＦの駆動データを引き当て、当該駆動データに応じてレンズ駆動部４２にフォーカスモータＯＦを駆動させる。このようにしてオートフォーカス調整がなされ、投写映像の焦点がスクリーンＳＣに合致する。
なお、距離検出部４０は、ＣＣＤのみの構成であっても良い。この構成の場合、制御部２４は、スクリーンにストライプ状のテストパターンを投写させるとともに、フォーカスモータＯＦを最小から最大まで段階的に駆動させ、ＣＣＤにて撮像された画像のコントラストが最も高くなる位置が焦点距離となるように各部を制御する。
【００５０】
《ファンの駆動制御》
図５は、プロジェクタによるファン駆動制御の流れの一態様を示したフローチャートである。ここでは、図５を中心に、適宜図４を交えてプロジェクタ１００によるファンＦ１，Ｆ２の駆動制御の流れの一態様について説明する。
プロジェクタ１００は、リモコン３２の「電源ボタン」が操作されたことにより起動する。
【００５１】
ステップＳ２１では、制御部２４は、記憶部２６の起動プログラムに従い、各部を初期化し、ランプ駆動部３８によりランプ１６の点灯動作を行わせるとともに、起動プログラムに定められた時間（例えば、３０秒間）ファンＦ１，Ｆ２を最高速度で回転させる。これは、ランプ１６の点灯動作に伴い、高熱が発生するからである。
ステップＳ２２では、制御部２４は、操作受付け部３３からの操作信号の有無により、プロジェクタ１００をシャットダウンする操作があったか確認する。シャットダウン操作があった場合は、ステップＳ２８へ進む。シャットダウン操作がなかった場合は、ステップＳ２３へ進む。
ステップＳ２３では、制御部２４は、ＡＤコンバータ３にクロック信号を供給し、検出電圧Ｖｔ１をサンプリングさせ、温度データを検出する。なお、検出された温度データは、記憶部２６にて所定のデータ数（例えば、５０データ）、時系列に記憶される。
ステップＳ２４では、制御部２４は、検出した温度データが、記憶部２６の電圧適合範囲内であるか確認する。電圧適合範囲内であった場合は、ステップＳ２５へ進む。電圧適合範囲内ではなかった場合は、ステップＳ２９へ進む。
【００５２】
ステップＳ２５では、制御部２４は、アナログスイッチＳＷ１をオフするとともに、アナログスイッチＳＷ２をオンする。
ステップＳ２６では、制御部２４は、データ排出部２５の機能を停止する。
ステップＳ２７では、駆動回路２および２２は、入力される検出電圧Ｖｔ１により調整された駆動電圧Ｖｆｄをそれぞれ出力する。また、制御部２４は、駆動回路２および２２が駆動電圧Ｖｆｄを出力した後、ステップＳ２２へ戻り、シャットダウン操作があったか確認する。
【００５３】
続いて、ステップＳ２２で、シャットダウン操作があった場合における処理の流れについて説明する。
ステップＳ２８では、制御部２４は、シャットダウン操作がなされると、ファンコントロール装置２０および電源部６１以外の各部を停止させ、所定の時間の間、ファンＦ１，Ｆ２を最高速度で回転させた後、ファンコントロール装置２０および電源部６１を停止する。
これはプロジェクタ１００の内部に滞留した熱によるランプ１６などの劣化を防ぐために行われる。所定の時間は、シャットダウン操作がなされる前の温度データに応じて定められており、温度が高かった場合でも、最長で３０秒程度の時間である。
【００５４】
続いて、ステップＳ２４で、電圧適合範囲内でなかった場合における処理の流れについて説明する。
ステップＳ２９では、制御部２４は、アナログスイッチＳＷ１がオンし、アナログスイッチＳＷ２がオフしている状態であるか確認する。当該状態であった場合は、ステップＳ３０へ進む。当該状態ではなかった場合は、ステップＳ３４へ進む。
ステップＳ３０では、制御部２４は、記憶部２６の駆動電圧テーブルから、検出した温度データに応じた調整データを引き当てる。
ステップＳ３１では、制御部２４は、引き当てた調整データをデータ排出部２５から出力する。
ステップＳ３２では、ＤＡコンバータ７は、入力される調整データに応じた調整電圧Ｖａｄｊを出力する。
ステップＳ３３では、駆動回路２および２２は、入力される調整電圧Ｖａｄｊにより調整された駆動電圧Ｖｆｄをそれぞれ出力する。また、制御部２４は、駆動回路２および２２が駆動電圧Ｖｆｄを出力した後、ステップＳ２２へ戻り、シャットダウン操作があったか確認する。
【００５５】
続いて、ステップＳ２９で、アナログスイッチＳＷ１がオンし、アナログスイッチＳＷ２がオフしている状態ではなかった場合における処理の流れについて説明する。
ステップＳ３４では、制御部２４は、アナログスイッチＳＷ１をオンするとともに、アナログスイッチＳＷ２をオフする。
ステップＳ３５では、制御部２４は、データ排出部２５の機能をオンした後、ステップＳ３０へ進む。
【００５６】
上述した通り、本実施形態によれば前記実施形態１における効果に加えて以下の効果が得られる。
【００５７】
（１）ファンＦ２は、発熱部位である液晶ライトバルブ１８Ｒ，１８Ｇ，１８Ｂ近傍に設けられ、ファンＦ１は、発熱部位であるランプ１６近傍の熱せられた空気を中心に外部へ放出し、ファンＦ１，Ｆ２の回転数は、液晶ライトバルブ１８Ｒ，１８Ｇ，１８Ｂ近傍に設けられたサーミスタを含む温度検出部１からの温度データに応じて制御されている。
よって、プロジェクタ１００は、発熱部位の温度状況に応じて、ファンＦ１，Ｆ２の回転速度を最適な状態に制御し、発熱部位を集中的に冷却するとともに、熱せられた空気を外部に放出する。
また、制御部２４は、温度データが、電圧適合範囲内であった場合、アナログスイッチＳＷ１をオフするとともに、アナログスイッチＳＷ２をオンし、さらにデータ排出部２５を停止することから、ＤＡコンバータ７およびデータ排出部２５が停止するとともに、駆動回路２および２２は、温度検出部１からの検出電圧Ｖｔ１により調整された駆動電圧Ｖｆｄをそれぞれ出力する。
よって、プロジェクタ１００は、温度データが電圧適合範囲内であった場合、ＤＡコンバータ７およびデータ排出部２５を停止することにより、エネルギー消費量を削減することができる。
従って、本発明のプロジェクタ１００は、エネルギー効率良く、発熱部位の温度状況に応じた適切な冷却を行うことができる。
【００５８】
（２）プロジェクタ１００は、プロジェクタ１００の固有の構成部位である制御部２４および記憶部２６を、ファンコントロール装置２０の制御部および記憶部としても活用している。
よって、プロジェクタ１００と、ファンコントロール装置２０との重複する構成部位を削減することができる。これは、構成部位の削減効果のみでなく、コストおよび、スペース削減という効果も有する。
従って、本発明のプロジェクタ１００は、エネルギー効率が良いファンコントロール装置を効率良く構成することができる。
【００５９】
なお、本発明は上述した実施形態に限定されず、上述した実施形態に種々の変更や改良などを加えることが可能である。変形例を以下に述べる。
【００６０】
（変形例１）
図３を用いて説明する。前記実施形態１において、ファンコントロール装置１０は、ステップＳ１で検出されるサンプリングポイントにおける温度データを基にファンＦ１を駆動制御しているが、温度変化の傾向を捕らえた制御を加えても良い。
例えば、記憶部６に記憶されている時系列に測定された温度データを用いて、発熱部位の温度が上がっているのか下がっているのかを判断し、温度が上昇している場合は、一段階駆動電圧を高くするなど、温度変化傾向に応じた制御を加えることとしても良い。
これにより、発熱部位ごとの温度状況に応じて、発熱部位をより適切に冷却することができる。
【００６１】
（変形例２）
図４を用いて説明する。前記実施形態２において、ＡＤ変換する前のアナログ信号を利用して、消費エネルギーを削減する構成は、ファンコントロール装置２０のみに限定されるものではない。アナログ信号レベルと、それに近似した信号レベルを用いて、アクチュエータなどの駆動制御が行われる装置であれば応用することができる。
例えば、距離センサ４１から出力されるアナログ信号レベルと、レンズ駆動部４２のフォーカスモータＯＦ用の調整電圧が近似している場合、距離センサ４１の出力をレンズ駆動部４２に分岐させるアナログＳＷを設ける。
この構成によれば、制御部２４は、距離センサ４１のアナログ信号レベルと、レンズ駆動部４２の調整電圧とが、略一致した場合、レンズ駆動部４２のＤＡコンバータを停止するとともに、前記アナログＳＷをオンする。
これにより、レンズ駆動部４２における消費電力を削減することができる。
【００６２】
（変形例３）
図４を用いて説明する。前記実施形態２において、プロジェクタ１００は、光変調素子として３枚の液晶ライトバルブ１８Ｒ，１８Ｇ，１８Ｂを用いた液晶３板式の投写型プロジェクタとして説明したが、これに限定するものではない。
例えば、プロジェクタは、赤、緑、青色のカラーフィルタが規則的に格子状に配置され、１枚でフルカラーの変調光を射出することが可能な単板の液晶ライトバルブを用いる構成であっても良い。また、反射型液晶表示装置や、ティルトミラーデバイスを用いる構成としても良い。また、このような光変調素子と、スクリーンとを備えたプロジェクタであるリアプロジェクタであっても良い。
これらの構成であっても、前記実施形態２および変形例と同様な作用効果を得ることができる。
【００６３】
（変形例４）
図４を用いて説明する。前記実施形態２および変形例において、ファンコントロール装置２０は、プロジェクタ１００に備えられるものとして説明したが、プロジェクタに限定するものではない。発熱部位を冷却するファンを備えた電子機器であれば良い。
例えば、ＣＰＵや、電源部を冷却するファンを備えたパーソナルコンピュータや、サーバコンピュータ、レーザや、サーマルヘッドなどの発熱部を冷却するファンを備えたプリンタなどのＯＡ機器にも適用することが可能であり、前記実施形態２および変形例と同様の作用効果を得ることができる。
【図面の簡単な説明】
【００６４】
【図１】一実施形態におけるファンコントロール装置の概略構成図。
【図２】検出電圧と調整電圧の相対関係の一態様を示した図表。
【図３】ファンコントロール装置によるファンの駆動制御の流れの一態様を示したフローチャート。
【図４】一実施形態におけるプロジェクタの概略構成図。
【図５】プロジェクタによるファン駆動制御の流れの一態様を示したフローチャート。
【図６】従来のプロジェクタにおけるファンコントロール装置の概略構成図。
【符号の説明】
【００６５】
１…温度検出部、２，２２…駆動回路、３…ＡＤコンバータ、４，２４…制御部、５，２５…データ排出部、６，２６…記憶部、７…ＤＡコンバータ、１０，２０…ファンコントロール装置、１６…光源部としてのランプ、１７…光学部、１８Ｒ，１８Ｇ，１８Ｂ…光変調素子としての液晶ライトバルブ、１９…投写レンズ、６１…電源部、ＳＷ１…第１のアナログスイッチとしてのアナログスイッチ、ＳＷ２…第２のアナログスイッチとしてのアナログスイッチ、Ｆ１，Ｆ２…ファン、ＴＨ１…温度センサとしてのサーミスタ、Ｒ１…固定抵抗、Ｖｔ１…検出電圧、Ｖａｄｊ…調整電圧、Ｖｆｄ…駆動電圧。
【図１】
2007072061.tif 000003
【図２】
2007072061.tif 000004
【図３】
2007072061.tif 000005
【図４】
2007072061.tif 000006
【図５】
2007072061.tif 000007
【図６】
2007072061.tif 000008